(57)【特許請求の範囲】
【請求項１】
上部を開口する容器と、該容器の開口端部に設けられる線香保持部材とを備え、前記線香保持部材は、前記容器の開口端部に径方向に架け渡される支持部材の長さ方向の中間位置に、蚊取り線香の中心部のスリットに挿入可能な爪部が上下方向に対して斜めに傾斜して設けられていることを特徴とする蚊取り線香保持具。
【請求項２】
前記支持部材は帯板状に形成されるとともに、その両端部が屈曲されており、この屈曲状態の端部が前記容器の開口端部に掛け止めされる鉤部を構成していることを特徴とする請求項１記載の蚊取り線香保持具。
【請求項３】
前記容器の開口端部には、前記支持部材の鉤部を嵌める溝部が形成されていることを特徴とする請求項２記載の蚊取り線香保持具。
【請求項４】
前記支持部材に、蚊取り線香の一部を保持可能なフック部が設けられていることを特徴とする請求項１から３のいずれか一項記載の蚊取り線香保持具。
【請求項５】
前記フック部は、前記支持部材の一部が切り起こされた状態に形成され、前記支持部材には、前記フック部と対向するように切り欠き部が形成されていることを特徴とする請求項４記載の蚊取り線香保持具。
【請求項６】
前記支持部材は、前記容器の径方向に配置される懸架部分に対して、その途中が折り曲げられた状態に形成されており、その折り曲げられた部分に前記フック部が形成され、前記フック部は、前記蚊取り線香の一部を保持したときに、該蚊取り線香の横断面矩形の角部が前記支持部材の前記懸架部分に当接し、前記フック部の先端部に対向する部分の前記支持部材と前記蚊取り線香の側面との間に隙間が形成されるように構成されていることを特徴とする請求項４又は５記載の蚊取り線香保持具。
【請求項７】
前記支持部材は塑性変形可能な材料により形成されており、前記フック部の基端部は、前記支持部材に折り重ねられるように屈曲形成されているとともに、その屈曲部分を広げることにより前記支持部材の前記懸架部分との間隔を調整可能に設けられていることを特徴とする請求項６記載の蚊取り線香保持具。
【請求項８】
請求項１から７のいずれか一項記載の蚊取り線香保持具と、前記容器の開口端部を閉塞可能な蓋体とを備え、前記容器は前記蚊取り線香を複数積み重ねて収容可能な有底円筒状に形成されていることを特徴とする蚊取り線香用収納器。
【発明の詳細な説明】
【技術分野】
【０００１】
本発明は、火のついた渦巻き状の蚊取り線香を保持するための蚊取り線香保持具及び蚊取り線香用収納器に関する。
【背景技術】
【０００２】
火のついた渦巻き状の蚊取り線香を保持するための保持具として、例えば、以下の特許文献１〜３に開示されたものがある。
【０００３】
特許文献１には、略長方形状の基台に爪体が垂直に立設されており、その爪体の上端部に二股状に爪部が形成された線香立てが開示されている。この場合、線香立ては、金属板のプレス加工により形成され、周縁部が縁曲げされている。基台を床等の上に置いて、爪体により線香を略水平状態に保持するものである。
【０００４】
特許文献２には、円筒状容器の内周面にＬ字形の支柱が半径方向内方に向けて突設されるとともに、その支柱の先端部に、垂直上方に向けた爪部が形成され、その爪部に蚊取り線香の中心部を係止する構成の蚊取り線香用容器が開示されている。この蚊取り線香用容器においては、蚊取り線香は水平方向に設置され、燃え尽きた後の灰は容器内に落下するので、周辺を汚さなくて済むとともに、灰の後処理が容易である。
【０００５】
特許文献３には、横断面四角形状の容器の上端開口部に、金属線状材からなる線香支持部材が架け渡され、その線香支持部材の長さの中間位置に、金属線状材を曲げて形成した支持部が設けられた線香保持具が開示されている。この線香保持具では、蚊取り線香が支持部により垂直方向に保持され、燃え尽きた後の灰は容器内に落下する。
【先行技術文献】
【特許文献】
【０００６】
【特許文献１】実用新案登録第３０２００４７号公報
【特許文献２】特開２００６‐５５１４４公報
【特許文献３】特開２００８‐２５９４６６公報
【発明の概要】
【発明が解決しようとする課題】
【０００７】
特許文献１記載の線香立ては、燃え尽きた後の灰が床面等を汚すので清掃が必要であり、これを汚さないようにするためには、灰を受けるための受け皿等を別途用意し、その受け皿の上に線香立てを載せる必要がある。また、歩行者等により、不用意に倒してしまったり、線香立てを変形させたり、蚊取り線香の折損を生じたりするおそれもある。
【０００８】
この点、特許文献２又は３記載の容器を用いた線香保持具の場合は、容器内に蚊取り線香が保持されるので、歩行者等から蚊取り線香が保護されて安全であるとともに、燃え尽きた後の灰が容器内に落下するので、床面等を汚すことも防止される。
【０００９】
しかしながら、特許文献２記載の線香保持具においては、蚊取り線香が水平姿勢で保持されるため、灰を受ける容器も蚊取り線香の最大外径より大きい内径のものが必要であり、その場合、使いはじめの蚊取り線香の最外周部分を燃焼させている際の灰がこぼれないようにするために、その外周部分の外側に余裕を持った大きさの容器を用意する必要がある。流通、販売時等に蚊取り線香を収容している保管用容器を灰受け用の容器とすることが考えられるが、その保管用容器は、蚊取り線香を収容すると、蚊取り線香の最外周部との間にわずかな隙間しかないため、その最外周部からの灰が容器の外側に落下するおそれがある。
【００１０】
特許文献３記載の線香保持具では、蚊取り線香が垂直姿勢で保持されるため、特許文献２記載の線香保持具に比べると、最外周部からの灰が容器の外側に落下するおそれは少なくなるが、横断面を四角形状とした特別の容器仕様であり、高価になる。
【００１１】
本発明は、このような事情に鑑みてなされたものであって、流通、販売時等に蚊取り線香を収容する保管用容器を用いることが可能で、容器内に蚊取り線香を保持して、使いはじめの最外周部分の灰もこぼさずに受けることができる蚊取り線香保持具、及びその蚊取り線香保持具を備えた蚊取り線香用収納器を提供することを目的とする。
【課題を解決するための手段】
【００１２】
本発明の蚊取り線香保持具は、上部を開口する容器と、該容器の開口端部に設けられる線香保持部材とを備え、前記線香保持部材は、前記容器の開口端部に径方向に架け渡される支持部材の長さ方向の中間位置に、蚊取り線香の中心部のスリットに挿入可能な爪部が上下方向に対して斜めに傾斜して設けられている。
【００１３】
爪部が斜めに傾斜して設けられているので、この爪部に蚊取り線香のスリットを挿入して保持すると、蚊取り線香の渦巻き面が水平方向及び垂直方向に対して傾斜して保持される。また、蚊取り線香の最外周部は、スリットの延長線上に配置されるものは少なく、スリットの延長線により区分される二つの半円部分のいずれかに配置されるのが一般的である。したがって、この蚊取り線香保持具に保持された蚊取り線香の最外周部は、容器の開口端よりも上方位置か、下方位置かのいずれかに配置される。最外周部が開口端より下方位置に配置される場合は、その灰は確実に容器内に落下する。一方、最外周部が容器の開口端よりも上方位置に配置される場合であっても、蚊取り線香が斜め上方に向けて傾斜して配置され、傾斜している分、容器の開口端部の内縁から離れた状態となるので、灰を容器の外側に落下させるおそれが少なくなる。
【００１４】
また、特許文献３記載のように蚊取り線香を垂直に配置すると、上方部分で生じた灰が落下して下方部分に付着し、下方部分の燃焼を妨げるおそれがあるが、本発明では、蚊取り線香を斜めに配置するので、上方部分の燃焼により落下した灰が下方部分に付着することがなく、最後まで安定して燃焼させることができる。
【００１５】
本発明の蚊取り線香保持具において、前記支持部材は帯板状に形成されるとともに、その両端部が屈曲されており、この屈曲状態の端部が前記容器の開口端部に掛け止めされる鉤部を構成しているとよい。
支持部材が帯板状であるので、容器の開口端部に架け渡したときに、開口端部に帯板の幅の範囲で線状に接触する。このため、支持部材が容器に安定して支持され、斜めの蚊取り線香を安定して保持することができる。
【００１６】
本発明の蚊取り線香保持具において、前記容器の開口端部には、前記支持部材の鉤部を嵌める溝部が形成されているとよい。
支持部材を容器に確実に固定することができ、蚊取り線香をより安定して保持することができる。
【００１７】
本発明の蚊取り線香保持具において、前記支持部材に、蚊取り線香の一部を保持可能なフック部が設けられているとよい。
渦巻き状の蚊取り線香の一部分が折れた場合等に、その折れた部分をフック部に保持させて、燃焼させることができる。
【００１８】
本発明の蚊取り線香保持具において、前記フック部は、前記支持部材の一部が切り起こされた状態に形成され、前記支持部材には、前記フック部と対向するように切り欠き部が形成されているとよい。
フック部に蚊取り線香の一部を保持させた状態とすると、フック部に接触している面の反対側の面は切り欠き部に臨ませられることになり、フック部で保持されている部分の燃焼に際しては、その切り欠き部から十分な空気を取り入れることができ、フック部での立ち消えを防止することができる。
【００１９】
さらに、本発明の蚊取り線香保持具において、前記支持部材は、前記容器の径方向に配置される懸架部分に対して、その途中が折り曲げられた状態に形成されており、その折り曲げられた部分に前記フック部が形成され、前記フック部は、前記蚊取り線香の一部を保持したときに、該蚊取り線香の横断面矩形の角部が前記支持部材の前記懸架部分に当接し、前記フック部の先端部に対向する部分の前記支持部材と前記蚊取り線香の側面との間に隙間が形成されるように構成されているとよい。
フック部に蚊取り線香を保持した際に、蚊取り線香の側面と支持部材との間に隙間が形成されるので、切り欠き部の作用も相俟って、十分な空気を取り入れることができ、立ち消えをより確実に防止することができる。
【００２０】
また、本発明の蚊取り線香保持具において、前記支持部材は塑性変形可能な材料により形成されており、前記フック部の基端部は、前記支持部材に折り重ねられるように屈曲形成されているとともに、その屈曲部分を広げることにより前記支持部材の前記懸架部分との間隔を調整可能に設けられているとよい。
屈曲部分から基端部を広げることにより、フック部と支持部材の懸架部分との間隔を変えることができ、保持すべき蚊取り線香の横断面形状が小さい場合に、寸法調整して、これを確実に保持することができる。
【００２１】
そして、本発明の蚊取り線香用収納器は、前記蚊取り線香保持具と、前記容器の開口端部を閉塞可能な蓋体とを備え、前記容器は前記蚊取り線香を複数積み重ねて収容可能な有底円筒状に形成されている。
この蚊取り線香用収納器は、その容器内に蚊取り線香を複数積み重ねて収容するとともに、その上に支持部材を入れて蓋体により閉塞した状態で流通、販売することができ、これを購入した消費者は、その容器と支持部材とにより蚊取り線香保持具を組み立て、その支持部材の爪部に蚊取り線香を保持して使用することができる。
【発明の効果】
【００２２】
本発明によれば、容器内に蚊取り線香を安定して保持することができるとともに、爪部により蚊取り線香を斜めに保持するので、燃焼により生じる灰を容器からこぼすことなく、容器内に確実に落下させることができ、清掃も不要で、長期間、灰の処理をしなくても使用し続けることができる。
【図面の簡単な説明】
【００２３】
【図１】本発明の第１実施形態の蚊取り線香保持具を備えた蚊取り線香用収納器を示す斜視図である。
【図２】図１の蚊取り線香保持部材の要部を拡大した斜視図である。
【図３】図１の蚊取り線香保持部材の要部を拡大した縦断面図である。
【図４】図３に示す状態からフック部の基端部を広げて横断面の小さい蚊取り線香を保持した状態を示す縦断面図である。
【図５】図１の蚊取り線香保持具の縦断面図である。
【図６】蚊取り線香の例を示す正面図である。
【図７】本発明の第２実施形態の蚊取り線香保持部材を示す図２同様の斜視図である。
【図８】図７に示す蚊取り線香保持部材における図３同様の断面図である。
【図９】図８に示す状態からフック部の基端部を広げて横断面の小さい蚊取り線香を保持した状態を示す縦断面図である。
【図１０】本発明の第３実施形態の蚊取り線香保持部材を示す図２同様の斜視図である。
【発明を実施するための形態】
【００２４】
以下、本発明の実施形態について図面を参照しながら説明する。
図１は第１実施形態の蚊取り線香保持具１を備えた蚊取り線香用収納器２を示している。この実施形態の蚊取り線香保持具１は、上部を開口する容器３と、その容器３の開口端部４に設けられる線香保持部材５とを備え、容器３の開口端部４を開閉可能な蓋体６が取り付けられることにより、蚊取り線香用収納器２が構成される。
容器３は、例えば金属板等により、蚊取り線香１１を水平姿勢で収納可能な大きさの有底円筒状に形成され、その上端部に縁巻部２１が形成されている。また、容器３の周壁部には、上端から一定幅で所定の深さ位置まで切除してなる溝部２２が周方向に１８０°間隔をあけて２個形成されている。
なお、蚊取り線香１１は、通常のものが適用され、平面視が渦巻き状の形態で、渦巻きの中心部にスリット１２が貫通状態に形成されている。
【００２５】
線香保持部材５は、帯板状に形成された支持部材２３の両端部に、容器３の溝部２２内に嵌合して容器３の周壁部の外側面に係止される鉤部２４が９０°屈曲状態に形成されており、図２及び図３に要部を拡大して示したように、支持部材２３の長さ方向の中間位置に、蚊取り線香１１の中心部のスリット１２に挿入可能な爪部２５と、折れた蚊取り線香１１´を保持可能なフック部２６とが設けられている。
この場合、支持部材２３は、塑性変形可能な金属板等により形成されており、容器３の径方向に架け渡される懸架部分３５に対して、その長さ方向の中間位置には、これを側面視Ｖ字状に下方に屈曲成形してなる谷状屈曲部２７が形成され、その谷状屈曲部２７を構成する一方の傾斜片部２８に爪部２５が形成され、他方の傾斜片部２９にフック部２６が形成されている。谷状屈曲部２７の底部の屈曲角度は、４５°〜５０°程度に形成される。
【００２６】
爪部２５は、傾斜片部２８の一部に切り込みを入れて、支持部材２３の幅方向に沿う折り曲げ線で折り曲げて切り起こすことにより形成されており、その先端部２５ａが平面視で三角形の舌片状に形成されている。また、その爪部２５の先端部２５ａは、幅方向は支持部材２３の幅方向と平行であるが、先端方向が斜め上方に向くように傾斜して設けられている。なお、傾斜片部２８において、爪部２５を切り起こした跡には、切り欠き部３０が形成される。
【００２７】
フック部２６も、傾斜片部２９の一部に切り込みを入れて、支持部材２３の幅方向に沿う折り曲げ線で折り曲げて切り起こすことにより形成されており、図示例では、細長い矩形状の部分を傾斜片部２９の背面側に切り起すことにより形成されている。したがって、フック部２６が切り起こされた跡の部分には、長方形状の切り欠き部３１が形成される。この場合、フック部２６を形成するための切り欠き部３１は、傾斜片部２９の上端を超えて支持部材２３の懸架部分３５にまで到達している。
【００２８】
また、フック部２６の基端部２６ａは、傾斜片部２９の表面（背面）に折り重ねられるように屈曲形成されており、この基端部２６ａから傾斜片部２９に交差する方向に突出し、その途中で屈曲されて鉤状に形成されている。そして、その先端部２６ｂは、傾斜片部２９と平行な方向、又は平行な方向に対して上方に向かうにしたがって徐々に傾斜片部２９との間隔を狭めるように傾斜して配置されている。この傾斜片部２９とフック部２６の先端部２６ｂとの間隔は、その間に蚊取り線香１１´を挟み込んで保持することができる寸法に設定されるが、図３に示すように、蚊取り線香１１´の側面が傾斜片部２９に面接触するのではなく、傾斜片部２９に対して蚊取り線香１１´が若干傾斜するとともに、蚊取り線香１１´の横断面矩形の角部１１ａが支持部材２３の裏面に当接した状態に保持される。そのため、蚊取り線香１１´の側面と傾斜片部２９の背面との間には隙間ｇが形成される。また、図３に示す例では蚊取り線香１１´の角部１１ａは、支持部材２３の懸架部分３５において切り欠き部３１が形成されている部分であって懸架部分３５と傾斜片部２９との屈曲部に当接している。フック部２６の先端部２６ｂを、傾斜片部２９と平行な方向に対して上方に向かうにしたがって徐々に傾斜片部２９との間隔を広げるように傾斜させ、支持部材２３の懸架部分３５において切り欠き部３１が形成されている部分の裏面に蚊取り線香１１´の角部１１ａが当接するようにしてもよい。
【００２９】
このように構成した蚊取り線香保持具１及び蚊取り線香用収納器２の使用方法について説明する。
蚊取り線香用収納器２は、容器３の内部に通常の蚊取り線香用容器と同様に、複数個の蚊取り線香１１が例えば２個組みにした状態で水平姿勢で積み重ねて収容され、その上に線香保持部材５が載置された後、開口端部４が蓋体６によって閉塞され、この状態で流通、販売等に供される。なお、蓋体６は、図１に示すように組み立てられた蚊取り線香保持具１の上から容器３に被せることができるように寸法設定しておくとよい。
【００３０】
そして、蚊取り線香１１を使用する際は、まず、蚊取り線香１１の中心部のスリット１２に線香保持部材５の爪部２５を挿し込んだ状態とし、その線香保持部材５の支持部材２３両端の鉤部２４を容器３の開口端部４の溝部２２に嵌合して、支持部材２３を容器３の径方向に架け渡した状態とする。
【００３１】
この状態では、爪部２５の先端部２５ａが斜め上方に向けられているので、この爪部２５が中心部のスリット１２に挿し込まれた状態に保持される蚊取り線香１１は、垂直方向に対して斜めに傾斜して保持される。また、前述したように、蚊取り線香１１の最外周部１３は、スリット１２の延長線Ｃ１上に配置されるものは少なく、スリット１２の延長線Ｃ１により区分される二つの半円部分のいずれか一方に配置されるのが一般的である。したがって、蚊取り線香保持具１に保持された蚊取り線香１１の最外周部１３は、容器３の開口端部４よりも上方位置か、下方位置かのいずれかに配置される。
【００３２】
例えば図６では、スリット１２の延長線Ｃ１と、スリット１２に直交する中心線Ｃ２とにより蚊取り線香１１を四つの領域に区分したときの第３象限の領域に最外周部１３が配置されている。このため、中心部のスリット１２に爪部２５を挿し込んだ状態で、最外周部１３が容器３内に配置されるように蚊取り線香１１を保持することが可能である。
そして、この最外周部１３が容器３内に配置されるように蚊取り線香１１を保持することにより、容器３の開口端部４の内周縁と、蚊取り線香１１との間の半径方向の距離が、その内周縁付近に最外周部１３が配置される場合に比べて広がることになる。
【００３３】
このようにして蚊取り線香１１を保持し、渦巻きの最外周部１３から燃焼させていくと、燃焼により生じた灰が容器３内に落下する。この場合、前述したように最外周部１３は容器３内に配置されているので、その部分の灰は確実に容器３内に落下する。また、容器３の開口端部４の内周縁から蚊取り線香１１までの半径方向の距離が比較的離れているので、最外周部１３の後の燃焼の進展に伴い生じる灰も容器３の外にこぼれることなく、容器３内に落下する。
しかも、蚊取り線香１１が斜めに配置されており、灰は図３の鎖線矢印で示すように落下するので、上部から落下する途中の灰が下方で蚊取り線香１１の未燃焼部分の上に付着することがない。したがって、蚊取り線香１１は、途中で立ち消え等が生じることなく、その渦巻きの最後まで安定して燃焼することができる。
【００３４】
また、折損して生じた蚊取り線香の一部分のみを燃焼させる場合は、その部分の蚊取り線香１１´をフック部２６の先端部２６ｂと傾斜片部２９との間に挿し込むことにより、その蚊取り線香１１´を保持することができ、これを燃焼させることができる。この場合、フック部２６の先端部２６ｂに対向する傾斜片部２９に切り欠き部３１が形成されているので、フック部２６に保持された蚊取り線香１１´は、フック部２６の先端部２６ｂに接触している側面の反対側の側面は傾斜片部２９の切り欠き部３１に臨ませられて露出する。また、前述したように、その傾斜片部２９と蚊取り線香１１´との間には隙間ｇが形成される。したがって、燃焼が途中でフック部２６や傾斜片部２９に遮られることなく、切り欠き部３１から十分な空気を取り入れることができ、フック部２６での立ち消えを防止することができる。また、図３に示す例では蚊取り線香１１´の角部１１ａが、支持部材２３の懸架部分３５において切り欠き部３１が形成されている部分の裏面に当接しているので、その角部１１ａの付近にも十分な空気を取り入れることができ、立ち消え現象をより有効に防止することができる。
【００３５】
この場合、フック部２６の基端部２６ａは、傾斜片部２９に折り重ねられるように屈曲した状態とされているので、この屈曲部分で基端部２６ａを傾斜片部２９から離間させるように広げる（基端部２６ａと傾斜片部２９とで形成される角度θを大きくする）ことにより、フック部２６の下端と支持部材２３の懸架部分３５との距離を変えることができる。このため、蚊取り線香１１´の横断面形状が小さい場合は、図４に示すようにフック部２６の基端部２６ａを広げた状態とすることにより、その蚊取り線香１１´の横断面矩形の角部１１ａを支持部材２３の懸架部分３５の裏面（図４に示す例では懸架部分３５と傾斜片部２９との間の屈曲部分）に当接させた状態に保持することができる。このフック部２６の基端部２６ａの開き度合は、保持すべき蚊取り線香１１´の横断面形状の大きさに応じて設定すればよい。
なお、この例では傾斜片部２９とフック部２６とが垂直方向に対して斜めに傾斜して形成されているので、折損した蚊取り線香１１´も斜めに保持される。
【００３６】
以上のように、この蚊取り線香保持具１は、爪部２５により蚊取り線香１１を斜めに傾斜させて保持するので、蚊取り線香１１の最外周部１３の燃焼時にも灰が容器３からこぼれにくく、灰を容器３内に確実に落下させることができる。この場合、支持部材２３は鉤部２４により容器３の溝部２２内に嵌った状態に保持されるので、不用意に動くことがなく、蚊取り線香１１が容器３に接触したり、一部が容器３から飛び出したりするようなことがなく、安全で、最後まで安定して燃焼させることができる。
【００３７】
図７から図９は本発明の第２実施形態の蚊取り線香保持部材の要部を示し、図９は本発明の第３実施形態の蚊取り線香保持部材の要部を示している。
これら第２実施形態の蚊取り線香保持部材５１及び第３実施形態の蚊取り線香保持部材６１においても、両端部に鉤部２４を有する支持部材２３が備えられており、その鉤部２４を容器３の開口端部４の溝部２２に嵌合した状態に係止する点等は第１実施形態の蚊取り線香保持部材５と同様であり、また、この線香保持部材５１，６１と容器３と蓋体６とにより蚊取り線香収納器を構成する点についても第１実施形態と同様であるので、これらの部分については図示を省略する。また、第１実施形態と共通する要素には同一符号を付して説明を簡略化する。
【００３８】
第１実施形態の蚊取り線香保持部材５においては、支持部材２３の長さ方向の中間位置が４５°程度のＶ字状に屈曲されていたが、図７に示す第２実施形態の蚊取り線香保持部材５１では、１８０°に折り畳むように屈曲され、その二枚重ね状態となった折り畳み部５２が支持部材２３の懸架部分３５に直交して下方に垂直に延びており、支持部材２３の中間部分の全体としては側面視がＴ字状となるように形成されている。そして、その折り畳み部５２の一方の折り畳み片５３に、爪部２５が形成され、他方の折り畳み片５４にフック部２６が形成されている。これら爪部２５及びフック部２６の形成方法は前述の第１実施形態のものと同様であるが、この実施形態の場合は、一方の折り畳み片５３に切り起こして形成された爪部２５と、他方の折り畳み片５４に切り起こして形成されたフック部２６とは、折り畳み部５２を介して背中合わせとなるように、折り畳み部５２の反対方向（両側方）にそれぞれ突出させられている。
なお、図７に示すように爪部２５を形成するための切り欠き部３０も、折り畳み部５２から支持部材２３の懸架部分３５にまで延びて形成されている。
【００３９】
また、爪部２５は先端部２５ａが垂直方向に対して斜め上方を向くように傾斜して配置されているが、フック部２６の先端部２６ｂは折り畳み部５２と平行な垂直方向に対して上方に向かうにしたがって徐々に折り畳み部５２に接近する方向に傾斜して配置されており、図８に示すように、折れた蚊取り線香１１´を保持した際に、蚊取り線香１１´の側面が折り畳み部５２に面接触することなく、蚊取り線香１１´の横断面矩形の上部の２ヶ所の角部１１ａが支持部材２３の折り畳み片５４及び懸架部分３５の裏面に当接した状態に保持されるようになっている。
また、この第２実施形態の蚊取り線香保持部材５１においても、フック部２６の基端部２６ａは折り畳み片５４に折り重ねられるように屈曲形成され、図９に示すように、これを伸ばすように広げる（基端部２６ａと折り畳み片５４とで形成される角度を大きくする）ことによって、保持すべき蚊取り線香１１´との寸法調整を行い得るようになっている。この場合、蚊取り線香１１´の角部１１ａを支持部材２３の懸架部分３５の裏面に当接させてもよいし、折り畳み片５４に当接させてもよい。図８及び図９はその両方に当接した状態を示している。いずれの場合でも、支持部材２３の懸架部分３５にまで延びて切り欠き部３０，３１が形成されているので、燃焼に十分な空気を供給することができる。
【００４０】
一方、図１０に示す第３実施形態の蚊取り線香保持部材６１では、支持部材２３の中間位置が、１８０°に折り畳むように屈曲され、その二枚重ね状態となった折り畳み部５２により、支持部材２３の中間部分の全体としては側面視がＴ字状となるように形成されている点、及び、フック部２６が、折り畳み部５２の折り畳み片５４を切り起こして折り畳み部５２の側方に突出して形成されている点等は、第２実施形態のものと同様であるが、その折り畳み部５２の一方の折り畳み片５３を切り起こして形成されている爪部２５が、支持部材２３の上方に突出している点が第２実施形態のものと相違している。
この場合も、爪部２５の先端部２５ａは垂直方向に対して斜め上方を向くように傾斜して配置されており、フック部２６は、その基端部２６ａが折り畳み部５２に折り重ねられるように屈曲形成されるとともに、先端部２６ｂが折り畳み部５２と平行の垂直方向に対して上方に向かうにしたがって徐々に折り畳み部５２に接近する方向に傾斜して配置されている。そして、蚊取り線香１１´の角部１１ａは、図８に示す形態と同様に、上部の２ヶ所で支持部材２３の懸架部分３５の裏面と折り畳み片５４とに当接する。また、フック部２６の基端部２６ａを広げる（基端部２６ａと折り畳み片５４とで形成される角度を大きくする）ことにより、保持すべき香取線香１１´との寸法調整を行うことができるようになっている。
なお、爪部２５は折り畳み片５３から支持部材２３の懸架部分３５にかけて切り起こされており、爪部２５の基端は、折り畳み部５２からずれて配置される。
【００４１】
これら第２実施形態及び第３実施形態の蚊取り線香保持部材５１，６１においても、渦巻き状の蚊取り線香１１の中心部のスリット１２に爪部２５を挿入して、蚊取り線香１１を斜めに傾斜して保持することができ、また、折れた一部の蚊取り線香１１´を保持する場合はフック部２６により固定することができ、第１実施形態の蚊取り線香保持部材５において説明したものと同様の作用効果を奏することができる。
【００４２】
特に、第３実施形態の蚊取り線香保持部材６１では、爪部２５が支持部材２３の上方に突出しているので、外部から目視し易く、蚊取り線香１１を保持した際の爪部２５の取り付け状態の確認が容易である。
また、これら第２実施形態及び第３実施形態の蚊取り線香保持部材５１，６１では、折り畳み部５２を接着剤等により固着した状態とすることも可能であり、その形状を安定して維持することができ、長期使用への耐久性を向上させることができる。
図７から図９及び図１０に示す例では、折り畳み部５２は、支持部材２３に直角に配置されているが、傾斜していてもよく、フック部２６も折り畳み部５２と平行に傾斜させてもよい。
【００４３】
なお、本発明は、上記実施形態に限定されるものではなく、本発明の趣旨を逸脱しない範囲において種々の変更を加えることが可能である。
例えば、容器及び支持部材は、金属製が好ましいが、不燃材料であれば、金属以外の材料を用いてもよい。また、折れた蚊取り線香１１´を保持するためにフック部２６と支持部材２３の懸架部分３５との間隔を調整することができるように構成したが、その必要がない場合には、塑性変形可能な材料でなくてもよい。
また、支持部材は帯板状としたが、線材により形成したものも含むものとする。ただし、帯板状とすることにより、容器に架け渡したときの安定性が良い。また、帯状に形成する場合も、その帯の横断面形状を波板状に形成することにより、断面係数を高めて、折れ曲がりにくくしてもよい。
さらに、蚊取り線香が保持される部分に補強部材を貼り付けるなどにより、その部分を補強することも可能である。
【符号の説明】
【００４４】
１…蚊取り線香保持具、
２…蚊取り線香用収納器、
３…容器、
４…開口端部、
５…線香保持部材、
６…蓋体、
１１，１１´…線香、
１１ａ…角部、
１２…スリット、
１３…最外周部、
２１…縁巻部、
２２…溝部、
２３…支持部材、
２４…鉤部、
２５…爪部、
２５ａ…先端部、
２６…フック部、
２６ａ…先端部、
２７…谷状屈曲部、
２８，２９…傾斜片部、
３０，３１…切り欠き部、
３５…懸架部分、
５１…線香保持部材、
５２…折り畳み部、
５３，５４…折り畳み片、
６１…線香保持部材、
ｇ…隙間
【要約】
【課題】流通、販売時等に蚊取り線香を収容する保管用容器を用いることが可能で、容器内に蚊取り線香を保持して、使いはじめの最外周部分の灰もこぼさずに受けることができる蚊取り線香保持具、及びその蚊取り線香保持具を備えた蚊取り線香用収納器を提供する。
【解決手段】上部を開口する容器３と、容器３の開口端部４に設けられる線香保持部材５とを備え、線香保持部材５は、容器３の開口端部４に径方向に架け渡される支持部材２３の長さ方向の中間位置に、蚊取り線香１１の中心部のスリット１２に挿入可能な爪部２５が上下方向に対して斜めに傾斜して設けられている。
【選択図】      図１【図１】
0005905992.tif 000002
【図２】
0005905992.tif 000003
【図３】
0005905992.tif 000004
【図４】
0005905992.tif 000005
【図５】
0005905992.tif 000006
【図６】
0005905992.tif 000007
【図７】
0005905992.tif 000008
【図８】
0005905992.tif 000009
【図９】
0005905992.tif 000010
【図１０】
0005905992.tif 000011